(57)【要約】【課題】第一部材に対して第二部材を所定の位置に保持する保持力を大きくすることができると共に、第一部材に対する第二部材のスライド抵抗を小さくすることができるスライドユニットを提供する。【解決手段】本発明のスライドユニットは、凸部５及びこの凸部５から一方向に離れて配置される凹部６を有する第一部材１と、凹部１３及びこの凹部１３から一方向に離れて配置される凸部１４を有し、第一部材１に対して相対的にスライド可能な第二部材２と、を備える。第二部材２が第一部材１に対して、第一部材１の凸部５と第二部材２の凹部１３が係合しかつ第一部材１の凹部６と第二部材２の凸部１４が係合する係合位置から一方向にスライド可能である。【選択図】図４
2017054908.tif 000002
【特許請求の範囲】
【請求項１】
凸部及びこの凸部から一方向に離れて配置される凹部を有する第一部材と、
凹部及びこの凹部から前記一方向に離れて配置される凸部を有し、前記第一部材に対して相対的にスライド可能な第二部材と、を備え、
前記第二部材が前記第一部材に対して、前記第一部材の前記凸部と前記第二部材の前記凹部が係合しかつ前記第一部材の前記凹部と前記第二部材の前記凸部が係合する係合位置から前記一方向に相対的にスライド可能であるスライドユニット。
【請求項２】
前記第一部材と前記第二部材とが分離可能なように、前記第二部材が前記第一部材の前記凹部側の端部から抜き取り可能であることを特徴とする請求項１に記載のスライドユニット。
【請求項３】
前記第二部材は、
前記凹部及び前記凸部を有する板バネと、
前記板バネが取り付けられる第二部材本体と、を備え、
前記第二部材本体には、前記板バネの前記凹部が配置される開口部が設けられると共に、前記板バネの前記凸部が配置される開口部が設けられることを特徴とする請求項１又は２に記載のスライドユニット。
【請求項４】
前記第一部材は、前記第一部材の前記凸部及び前記凹部を有する上面と、溝を有する一対の側面と、を有し、
前記第二部材は、前記第一部材の前記上面に対向する上壁部と、前記第一部材の前記一対の側面に対向し、前記溝に嵌まる突起を有する一対の側壁部と、を有することを特徴とする請求項１なし３のいずれか１項に記載のスライドユニット。
【発明の詳細な説明】
【技術分野】
【０００１】
本発明は、第一部材に対してスライド可能な第二部材を所定の位置に保持可能なスライドユニットに関する。
【背景技術】
【０００２】
携帯電話機等の電気装置には、第一部材に対して第二部材をスライド可能にするスライド機構が組み込まれる。例えば特許文献１には、スライド機構が組み込まれた携帯電話機が開示されており、第一部材を構成する送話部の筺体と第二部材を構成する受話部の筺体とをスライド機構を介して互いに摺動可能に連結している。スライド機構は、第二部材に設けられるガイド溝と、第一部材に設けられるボールプランジャと、から構成される。
【０００３】
ボールプランジャは、ボールと、ボールを回転可能に支持するケースと、ケースに収容され、ボールをガイド溝に付勢するコイルバネと、を備える。ボールプランジャのボールはガイド溝に嵌まる。第一部材に対して第二部材をスライドさせると、ボールプランジャのボールがガイド溝に沿って転がる。
【０００４】
特許文献１のスライド機構は、第一部材に対して第二部材を所定の位置に保持可能に構成される。すなわち、ボールプランジャは、第一部材の相対移動方向（言い換えればガイド溝の長さ方向）に二つ設けられる。第二部材のガイド溝には、ガイド溝よりも深さの深い凹部がガイド溝の長さ方向に二つ設けられる。第二部材が第一部材に対して所定の位置までスライドすると、二つのボールプランジャのボールがガイド溝の二つの凹部に嵌まり、第二部材が所定の位置に保持される。
【先行技術文献】
【特許文献】
【０００５】
【特許文献１】特開２００４−２３５８９７号公報
【発明の概要】
【発明が解決しようとする課題】
【０００６】
特許文献１に記載のスライド機構にあっては、ボールプランジャ及びボールプランジャのボールが嵌まる凹部がガイド溝の長さ方向に二つ設けられるので、第二部材を所定の位置に保持する保持力を大きくすることができるという利点がある。
【０００７】
しかし、第一部材に対して第二部材をスライドさせるとき、二つのボールベアリングのボールがガイド溝を転がるので、第二部材のスライド抵抗が大きいという課題がある。
【０００８】
そこで本発明は、第一部材に対して第二部材を所定の位置に保持する保持力を大きくすることができると共に、第一部材に対する第二部材のスライド抵抗を小さくすることができるスライドユニットを提供することを目的とする。
【課題を解決するための手段】
【０００９】
上記課題を解決するために、本発明は、凸部及びこの凸部から一方向に離れて配置される凹部を有する第一部材と、凹部及びこの凹部から前記一方向に離れて配置される凸部を有し、前記第一部材に対して相対的にスライド可能な第二部材と、を備え、前記第二部材が前記第一部材に対して、前記第一部材の前記凸部と前記第二部材の前記凹部が係合しかつ前記第一部材の前記凹部と前記第二部材の前記凸部が係合する係合位置から前記一方向に相対的にスライド可能であるスライドユニットである。
【発明の効果】
【００１０】
本発明によれば、係合位置において、第一部材の凸部と第二部材の凹部が係合しかつ第一部材の凹部と第二部材の凸部が係合するので、第二部材を係合位置に保持する保持力を大きくすることができる。また、第一部材に対して第二部材が係合位置から一方向（すなわち、第一部材の凸部と第二部材の凸部とが離間する方向）に相対的にスライド可能であるので、第一部材の凸部と第二部材の凸部とが接して、第一部材に対する第二部材のスライド抵抗が大きくなるのを防止できる。
【図面の簡単な説明】
【００１１】
【図１】本発明の第一の実施形態のスライドユニットの斜視図である（図１（ａ）は上面側斜視図、図１（ｂ）は底面側斜視図である）。
【図２】本実施形態のスライドユニットの分解斜視図である。
【図３】本実施形態のスライドユニットの詳細図である（図３（ａ）は図３（ｃ）のＡ-Ａ線断面図、図３（ｂ）は側面図、図３（ｃ）は正面図、図３（ｄ）は背面図である）。
【図４】本実施形態のスライドユニットの動作斜視図である（図４（ａ）は係合位置にある第二部材を後方向（一方向）にスライドさせた直後の状態、図４（ｂ）は第一部材と第二部材との係合が外れた状態、図４（ｃ）は第一部材の凹部と第二部材の凹部とが対向する状態、図４（ｄ）は第二部材が第一部材から抜き取られた状態である）。
【図５】本実施形態のスライドユニットの動作断面図である。
【図６】図５（ａ）の部分拡大図である（図６（ａ）はVIA部拡大図、図６（ｂ）はVIB部拡大図である）。
【図７】図５（ｃ）のVII部拡大図である。
【図８】本発明の第二の実施形態のスライドユニットの斜視図である。
【図９】第一の実施形態のスライドユニットをカバー付き電子計算機に適用した例を示す上面側斜視図である。
【図１０】第一の実施形態のスライドユニットをカバー付き電子計算機に適用した例を示す底面側斜視図である。
【図１１】本発明の第三の実施形態のスライドユニットの斜視図である。
【図１２】図１１のXII部拡大図である。
【図１３】図１１のXIII部拡大図である。
【発明を実施するための形態】
【００１２】
以下、添付図面に基づいて、本発明の実施形態のスライドユニットを詳細に説明する。ただし、本発明のスライドユニットは、種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１３】
図１（ａ）は、本発明の第一の実施形態のスライドユニットの上面側斜視図を示し、図１（ｂ）は、底面側斜視図を示す。第一部材１及び第二部材２はいずれも細長く延びていて、両者の長さは略等しい。第二部材２は、第一部材１に対して長さ方向にスライド可能である。本発明において、一方向は、長さ方向において一つの向きを持つことを意味する。他方向は、長さ方向において一方向とは逆の向きを持つことを意味する。そして、一方向と他方向とが長さ方向を構成する。第二部材２は、第一部材１に対して重なった図１（ａ）に示す係合位置に保持されている。第一部材１には、電気装置等の相手部品に取り付けるための複数の通し孔３ａ，３ｂが空けられる。第二部材２にも、電気装置等の相手部品に取り付けるための複数の通し孔４ａ，４ｂが空けられる。
【００１４】
図２は、本実施形態のスライドユニットの分解斜視図を示す。以下においては、説明の便宜上、特に明示がない限り、スライドユニットを水平面に配置し、長さ方向から見たときの方向、すなわち図２に示す前後（他方向及び一方向）、上下及び左右を用いて、スライドユニットの構成を説明する。もちろん、スライドユニットの配置は、このような配置に限られるものではない。なお、図２は、図１に示すスライドユニットを水平面内で１８０度回転させた状態を示す。
【００１５】
スライドユニットは、第一部材１と、第一部材１にスライド可能に組み付けられる第二部材２と、を備える。第一部材１は、断面略矩形状であり、前後方向に延びる。第一部材１の上面１ａは、矩形の略平面である。第一部材１の上面１ａの前方向（他方向）の一端部には、上面１ａから盛り上がる凸部５が設けられる。凸部５は、断面円弧状であり、左右方向に延びる。第一部材１の上面１ａの後方向（一方向）の他端部には、凸部５から後方向（一方向）に離れて上面１ａから掘り下げられる凹部６が設けられる。凹部６は、断面円弧状であり、左右方向に延びる。第一部材１の上面１ａには、第一部材１を相手部品に取り付けるための通し孔３ａ，３ｂが空けられる。通し孔３ａ，３ｂは、第一部材１を上下方向に貫通する。通し孔３ａ，３ｂには、ボルト等の締結部材の頭部が着座する座ぐり７ａ，７ｂが設けられる（図３（ａ）参照）。
【００１６】
図２に示すように、第一部材１の左右一対の側面１ｂそれぞれには、溝８が設けられる。溝８は断面略矩形状であり、前後方向に延びる。溝８によって、背面視（図３（ｄ）参照）において、第一部材１は略横Ｈ字状に形成される。溝８の前方向（他方向）の一端部（図２の前側の端部）には、第二部材２を第一部材１から抜き取ることができないように、第二部材２に当接する階段状のストッパ９が設けられる。溝８の後方向（一方向）の他端部（図２の後側の端部）は、第二部材２を第一部材１から抜き取ることができるように開放している。
【００１７】
第二部材２は、板バネ１１と、ねじ等の締結部材によって板バネ１１が取り付けられる第二部材本体１２と、を備える。板バネ１１は、略矩形の板状であり、前後方向に延びる。板バネ１１の前方向（他方向）の一端部には、第一部材１から離れるように窪む凹部１３が設けられる。凹部１３は、板バネ１１を断面円弧状に曲げて成り、左右方向に延びる。板バネ１１の後方向(一方向)の他端部には、凹部１３から後方向（一方向）に離れて第一部材１に向かって突出する凸部１４が設けられる。凸部１４は、板バネ１１を断面円弧状に曲げて成り、左右方向に延びる。板バネ１１には、板バネ１１を第二部材本体１２に取り付けるためのリベット、ねじ等の締結部材が通される通し孔１５ａ，１５ｂが空けられる。
【００１８】
板バネ１１の凹部１３から凸部１４までの後方向（一方向）の長さは、第一部材１の凸部５から凹部６までの後方向（一方向）の長さに等しい。図３（ａ）に示すように、板バネ１１の凹部１３が第一部材１の凸部５に係合し、板バネ１１の凸部１４が第一部材１の凹部６に係合する。図３（ａ）が第二部材２の係合位置を示す。
【００１９】
図２に示すように、第二部材本体１２は、第一部材１の上面１ａに対向する上壁部１２ａと、第一部材１の一対の側面１ｂに対向する一対の側壁部１２ｂを有する。一対の側壁部１２ｂの下端には、対向する側壁部１２ｂに向かって突出し、溝８に嵌まる突起１５が設けられる。背面視（図３（ｄ）参照）において、第二部材本体１２は横略Ｃ字状である。第二部材本体１２の上壁部１２ａの前後方向の両端部には、開口部として略矩形状の切欠き１７ａ，１７ｂが設けられる。
【００２０】
第二部材本体１２の上壁部１２ａの下面には、板バネ１１が取り付けられる。板バネ１１の凹部１３及び凸部１４は、切欠き１７ａ，１７ｂに配置されており、平面視において、凹部１３及び凸部１４が切欠き１７ａ，１７ｂから露出する。板バネ１１の凹部１３近傍は、第二部材本体１２に片持ち支持されており、板バネ１１の凹部１３近傍は、第二部材本体１２の上壁部１２ａの厚み分だけ上下方向に弾性変形可能である。同様に板バネ１１の凸部１４近傍は、第二部材本体１２に片持ち支持されており、板バネ１１の凸部１４近傍は、第二部材本体１２の上壁部１２ａの厚み分だけ上下方向に弾性変形可能である。
【００２１】
第二部材本体１２の一対の側壁部１２ｂの突起１５は、第二部材２の略全長に亘って延びる。第二部材本体１２の側壁部１２ｂの前方向（他方向）の端部には、第一部材１の階段状のストッパ９に形状を合わせた略Ｌ字状の切欠き１８が設けられる。第二部材２が係合位置にあるとき、第一部材１のストッパ９が第二部材２の切欠き１８に当接する。このため、第二部材２が第一部材１に対して図２中前方向（他方向）に抜けるのが防止される。第二部材本体１２及び板バネ１１には、これらを相手部品に取り付けるための、互いに連通する通し孔４ａ，４ｂが設けられる。
【００２２】
図４は、係合位置にある第二部材２を第一部材１に対して後方向（一方向）にスライドさせるときのスライドユニットの動作図を示す。図４（ａ）は係合位置（図３（ａ）参照）にある第二部材２を後方向（一方向）にスライドさせた直後の状態を示し、図４（ｂ）は第一部材１と第二部材２との係合が外れた状態を示し、図４（ｃ）は第一部材１の凹部６と第二部材２の凹部１３とが対向する状態（図５（ｃ）も参照）を示し、図４（ｄ）は第二部材２が第一部材１から抜き取られた状態を示す。第二部材２は、係合位置（図３（ａ）参照）から後方向（一方向）にスライド可能である。この実施形態では、第二部材２は、後方向（一方向）に少なくとも係合位置（図３（ａ）参照）から対向位置（図４（ｃ）参照）までスライド可能である。第二部材２を対向位置からさらに後方向（一方向）にスライドさせると、第二部材２が第一部材１から抜き取られる。
【００２３】
図５（ａ）〜図５（ｄ）は、図４（ａ）〜図４（ｄ）と同じ状態のスライドユニットの断面図を示す。図６（ａ）は図５（ａ）のVIA部拡大図を示し、図６（ｂ）は図５（ａ）のVIB部拡大図を示す。
【００２４】
図６（ａ）に示すように、第二部材２をスライドさせた直後、板バネ１１の凹部１３の縁１３ａが第一部材１の凸部５の頂点に乗り上げ、板バネ１１の凹部１３近傍が上方へ弾性変形する。第二部材本体１２の厚さは、板バネ１１の凹部１３近傍が上方へ弾性変形するのを許容するように設定される。
【００２５】
図６（ｂ）に示すように、第二部材２をスライドさせた直後、板バネ１１の凸部１４の頂点が第一部材１の凹部６の縁６ａに乗り上げ、板バネ１１の凸部１４近傍が上方へ弾性変形する。第二部材本体１２の厚さは、板バネ１１の凸部１４近傍が上方へ弾性変形するのを許容するように設定される。
【００２６】
図５（ｂ）に示すように、板バネ１１の凹部１３と第一部材１の凸部５との係合が外れると、板バネ１１の凹部１３近傍が復元する。同様に、板バネ１１の凸部１４と第一部材１の凹部６との係合が外れると、板バネ１１の凸部１４近傍が復元する。そして、第一部材１の凸部５が第二部材２に非接触になり、板バネ１１の凸部１４が第一部材１に非接触になる。
【００２７】
図５（ｃ）に示すように、第一部材１の凹部６と板バネ１１の凹部１３とが対向する対向位置においても、第一部材１の凸部５の非接触、及び板バネ１１の凸部１４の非接触が維持される。
【００２８】
図５（ｄ）に示すように、最終的には第二部材２は第一部材１から分離する。図７に示すように、対向位置において、板バネ１１と第一部材１とが凹凸で係合することがないので、第二部材２を第一部材１から円滑に引き抜くことができる。
【００２９】
本実施形態のスライドユニットによれば、以下の効果を奏する。係合位置において、第一部材１の凸部５と第二部材２の凹部１３が係合し、かつ第一部材１の凹部６と第二部材２の凸部１４が係合するので、第二部材２を係合位置に保持する保持力を大きくすることができる。また、第一部材１に対して第二部材２が、係合位置から後方向（すなわち第一部材１の凸部５と第二部材２の凸部１４とが離間する方向）にスライド可能であるので、第一部材１の凸部５と第二部材２の凸部１４とが接して、第一部材１に対する第二部材２のスライド抵抗が大きくなるのを防止できる。
【００３０】
第二部材２が第一部材１から抜き取り可能なので、第二部材２を第一部材１から分離することが可能である。
【００３１】
第二部材２が、板バネ１１と、板バネ１１が取り付けられる第二部材本体１２と、を備えるので、弾性変形する部分と剛体部分とを分けることができ、繰り返し弾性変形する板バネ１１の寿命を長くすることができる。また、第二部材本体１２に切欠き１７ａ，１７ｂが設けられるので、切欠き１７ａ，１７ｂ内で板バネ１１の凹部１３近傍及び凸部１４近傍を弾性変形させることができる。
【００３２】
第一部材１と第二部材２とが凹凸で係合する部分と第一部材１と第二部材２とが互いにスライドする部分とを、第一部材１の上面１ａと側面１ｂとに振り分けることで、凹凸係合とスライドの両方を安定させることができる。
【００３３】
図８は、本発明の第二の実施形態のスライドユニットを示す。この実施形態のスライドユニットも、第一部材１と、第一部材１に対してスライド可能な第二部材２２と、を備える。第一部材１の構成は、第一の実施形態の第一部材１と同一なので、同一の符号を附してその説明を省略する。第二部材２２は、第二部材本体２３と、第二部材本体２３に取り付けられる板バネ１１と、を備える。板バネ１１の構成は、第一の実施形態の板バネ１１と同一なので、同一の符号を附してその説明を省略する。
【００３４】
第一の実施形態の第二部材本体１２では、第二部材本体１２の両端部に切欠き１７ａ，１７ｂが設けられるのに対し、第二の実施形態の第二部材本体２３では、第二部材本体２３の両端部に矩形状の窓２４ａ，２４ｂが設けられる。片持ち支持された板バネ１１の凹部１３近傍は、窓２４ａ内で上方向に弾性変形可能である。同様に、片持ち支持された板バネ１１の凸部１４近傍は、窓２４ｂ内で上方向に弾性変形可能である。第二部材本体２３の窓２４ａ，２４ｂ以外の構成は、第一の実施形態の第二部材本体１２と同一である。
【００３５】
図９及び図１０は、第一の実施形態のスライドユニットをカバー付き電子計算機に適用した例を示す。図９は、カバー付き電子計算機の上面側斜視図を示し、図１０は、底面側斜視図を示す。電子計算機３１の左右一対の側面には、スライドユニットの第一部材１が取り付けられる。
【００３６】
カバー３２は、箱形であり、電子計算機３１の上面を覆う上壁部３２ａと、電子計算機３１の左右一対の側面を覆う左右一対の側壁部３２ｂと、電子計算機３１の底面を覆う底壁部３２ｃと、を備える。一対の側壁部３２ｂの内面には、スライドユニットの第二部材２が取り付けられる。
【００３７】
第一部材１の溝８に第二部材２の突起１５（図１０参照）を嵌め、カバー３２で電子計算機３１を覆うように、カバー３２を電子計算機３１に対してスライドさせると、第一部材１の凸部５と第二部材２の凹部１３が係合し、かつ第一部材１の凹部６と第二部材２の凸部１４が係合する。このため、カバー３２を係合位置に保持する保持力を大きくすることができる。
【００３８】
図１１は、本発明の第三の実施形態のスライドユニットを示す。この実施形態のスライドユニットは、電子計算機３１の左右一対の側面に一体に設けられる第一部材４１（図１１には手前側の第一部材４１のみを示す）と、カバー４２の左右一対の側壁部４２ｂに一体に設けられる第二部材４３（図１１には奥側の第二部材４３のみを示す）と、を備える。
【００３９】
図１２に示すように、第一部材４１は、前後方向に細長い溝状に構成される。溝状の第一部材４１の一端部には、凸部４４が設けられる。溝状の第一部材４１の他端部には、凸部４４から後方向（一方向）に離れて凹部４５が設けられる。第一部材４１から第二部材４３を抜き取ることができるように、溝状の第一部材４１の一端部は、開放している。
【００４０】
図１３に示すように、第二部材４３は、前後方向に細長い突起状に構成される。カバー４２が電子計算機３１に対してスライドできるように、突起状の第二部材４３が溝状の第一部材４１に嵌められる。突起状の第二部材４３の一端部には、凹部４６が設けられる。突起状の第二部材４３の他端部には、凹部４６から後方向（一方向）に離れて凸部４７が設けられる。
【００４１】
図１１に示すように、カバー４２は、箱形であり、電子計算機３１の上面を覆う上壁部４２ａと、電子計算機３１の左右一対の側面を覆う左右一対の側壁部４２ｂと、電子計算機３１の底面を覆う底壁部４２ｃと、を備える。第一部材４１に第二部材４３を嵌め、カバー４２を電子計算機３１に対してスライドさせると、第一部材４１の凸部４４と第二部材４３の凹部４６が係合し、かつ第一部材４１の凹部４５と第二部材４３の凸部４７が係合する。このため、カバー４２を係合位置に保持する保持力を大きくすることができる。第一部材４１と第二部材４３とが凹凸で係合するとき、カバー４２が弾性変形する。
【００４２】
本発明は上記実施形態に具現化されるのに限られることはなく、本発明の要旨を変更しない範囲でさまざまな実施形態に変更可能である。
【００４３】
例えば、上記実施形態では、第二部材を第一部材から抜き取り可能にしたが、第二部材及び第一部材にストッパを設け、第二部材を第一部材から抜き取り不可能にすることもできる。また、第二部材が係合位置から後方向（一方向）にスライドするとき、第一部材に設けたストッパにより第二部材を対向位置の手前で停止させることもできる。さらに、上記実施形態では、第二部材を第一部材に対して係合位置から後方向（一方向）にのみスライドさせているが、係合位置から前後方向（他方向及び一方向）にスライドさせることもできる。
【００４４】
第一部材に対する第二部材のスライドは相対的なものであり、第二部材の替わりに第一部材をスライドさせることも、第一部材及び第二部材の両方をスライドさせることもできる。
【００４５】
上記実施形態では、第二部材本体と板バネとを別体にしているが、第二部材本体と板バネとを一体にすることもできる。
【００４６】
上記実施形態では、板バネを一部材から構成しているが、板バネを二分割以上に分割することもできる。
【００４７】
上記実施形態における第一部材及び第二部材の形状は一例であり、本発明の要旨を変更しない範囲で他の形状に変更することができる。
【産業上の利用可能性】
【００４８】
本実施形態のスライドユニットは電子計算機に限られることはなく、携帯電話機、電気装置に使用することができる。また、テーブル、キャビネット等の家具の引き出し、引出し用ガイドにも使用することができる。
【符号の説明】
【００４９】
１…第一部材
１ａ…第一部材の上面
１ｂ…第一部材の側面
２…第二部材
５…第一部材の凸部
６…第一部材の凹部
８…第一部材の溝
１１…板バネ
１２…第二部材本体
１２ａ…第二部材本体の上壁部
１２ｂ…第二部材本体の側壁部
１３…第二部材の凹部
１４…第二部材の凸部
１５…第二部材の突起
１７ａ，１７ｂ…切欠き（開口部）
２２…第二部材
２３…第二部材本体
２４ａ，２４ｂ…窓（開口部）
４１…第一部材
４３…第二部材
４４…第一部材の凸部
４５…第一部材の凹部
４６…第二部材の凹部
４７…第二部材の凸部
【図１】
2017054908.tif 000003
【図２】
2017054908.tif 000004
【図３】
2017054908.tif 000005
【図４】
2017054908.tif 000006
【図５】
2017054908.tif 000007
【図６】
2017054908.tif 000008
【図７】
2017054908.tif 000009
【図８】
2017054908.tif 000010
【図９】
2017054908.tif 000011
【図１０】
2017054908.tif 000012
【図１１】
2017054908.tif 000013
【図１２】
2017054908.tif 000014
【図１３】
2017054908.tif 000015